(57)【要約】装置（１０）は、液体（５８）を収容した瓶（５０）と、便器のリムから懸吊されると共に瓶（５０）を保持する基部とを有し、基部は、瓶の栓（５４）を開くための穴抜き支柱（３０）を有する。基部によって支持されたウィッキング装置（６０）は、液体を、瓶から、トイレを流す便器洗浄水内の分配位置へ運搬する。延出板は、基部又はウィッキング装置に着脱可能に取付けられ、便器洗浄水内に配置されると共に便器水洗中に水流の少なくとも一部がウィッキング装置の分配位置へ向かうように、当該延出板の大きさが決定される。
2005533947.tif 000002
【特許請求の範囲】
【請求項１】
便器水洗中の水流を利用して便器の中へ液状便器処理剤を分配する分配装置であって、
液体を収容すると共に、口と該口を閉じるための栓とを有する瓶と、
前記瓶を保持するとともに、前記瓶を開栓するのに適する、穴抜き支柱を有する基部と、
前記便器のリムから前記基部を吊り下げるための懸吊手段と、
前記基部に支持されると共に、液体を前記穴抜き支柱から該ウィッキング装置の分配位置へ運搬するのに適する、ウィッキング装置と、
前記ウィッキング装置に着脱可能に取付けられると共に、該延出板が便器水洗中の水流の途中に位置決めされるように、そして、便器水洗中に水流の少なくとも一部が該ウィッキング装置の分配位置へ流れるように大きさが決定される、延出板と、
を備える、分配装置。
【請求項２】
前記延出板がスナップフィット式係合によって前記ウィッキング装置に固着される、請求項１に記載の分配装置。
【請求項３】
前記ウィッキング装置の端部を前記延出板の内壁の溝の中へ嵌入することによって前記延出板が前記ウィッキング装置に固着される、請求項１に記載の分配装置。
【請求項４】
前記ウィッキング装置が前記便器の前記リムに取付けられる時に前記便器の内壁に対して下方に傾斜するように前記延出板の大きさが決定されると共に前記ウィッキング装置に取付けられる、請求項１に記載の分配装置。
【請求項５】
前記延出板がその周辺で上方に延出するリムを有する、請求項１に記載の分配装置。
【請求項６】
前記延出板が前記ウィッキング装置に取り付けられる時に該ウィッキング装置に対して回転動作によって固定される、請求項１に記載の分配装置。
【請求項７】
前記延出板が前記ウィッキング装置と同一平面内で固定的に位置決めされる、請求項６に記載の分配装置。
【請求項８】
前記ウィッキング装置が、前記基部の前記穴抜き支柱と流体連通する少なくとも一つの水路を含む上面を有する分配板を備える、請求項１に記載の分配装置。
【請求項９】
前記ウィッキング装置が、穴が形成された板を備える、請求項１に記載の分配装置。
【請求項１０】
前記ウィッキング装置が、多孔パッドを備える、請求項１に記載の分配装置。
【請求項１１】
便器水洗中の水流を利用して便器の中へ液状便器処理剤を分配する分配装置であって、
液体を収容すると共に、口と該口を閉じるための栓とを有する瓶と、
前記瓶を保持するとともに、前記瓶を開栓するのに適する、穴抜き支柱を有する基部と、
前記便器のリムから前記基部を吊り下げるための懸吊手段と、
前記基部に支持されると共に、液体を前記穴抜き支柱から該ウィッキング装置の分配位置へ運搬するのに適する、ウィッキング装置と、
前記基部に着脱可能に取付けられると共に、該延出板が便器水洗中の水流の途中に位置決めされるように、そして、便器水洗中に水流の少なくとも一部が該ウィッキング装置の分配位置へ流れるように大きさが決定される、延出板と、
を備える、分配装置。
【請求項１２】
前記延出板が、スナップフィット式係合によって前記ウィッキング装置に固着される、請求項１１に記載の分配装置。
【請求項１３】
前記基部の端部を前記延出板の内壁の溝の中へ嵌入することによって前記延出板が前記ウィッキング装置に固着される、請求項１１に記載の分配装置。
【請求項１４】
前記ウィッキング装置が、前記便器の前記リムに取付けられる時に前記便器の内壁に対して下方に傾斜するように前記延出板の大きさが決定されると共に前記基部に取付けられる、請求項１１に記載の分配装置。
【請求項１５】
前記延出板が、その周辺で上方に延出するリムを有する、請求項１１に記載の分配装置。
【請求項１６】
前記延出板が、前記基部に取り付けられる時に該基部に対して回転動作によって固定される、請求項１１に記載の分配装置。
【請求項１７】
前記延出板が、前記ウィッキング装置と同一平面内で固定的に位置決めされる、請求項１６に記載の分配装置。
【請求項１８】
前記ウィッキング装置が、前記基部の前記穴抜き支柱と流体連通する少なくとも一つの水路を含む上面を有する分配板を備える、請求項１１に記載の分配装置。
【請求項１９】
前記ウィッキング装置が、穴が形成された板を備える、請求項１１に記載の分配装置。
【請求項２０】
前記ウィッキング装置が、多孔パッドを備える、請求項１１に記載の分配装置。
【発明の詳細な説明】
【技術分野】
【０００１】
本発明は、液体分配装置（ディスペンサー）に係り、より詳細には、便器のリム下からの洗浄液の分配装置に関する。
【背景技術】
【０００２】
便器は、目に見えない付着物の蓄積を防ぎ、悪臭を抑え、細菌の成長を防ぐための手入れを必要とする。従来、便器は、液状又は粉状の洗浄及び消毒剤を用いて、擦ることによって洗浄、脱臭、殺菌を行ってきた。この仕事は、便器を清潔に保つために肉体労働を必要とした。
【０００３】
手で擦る労力を取り除くために、様々な自動連続洗浄型の便器洗浄製品が提案されてきた。あるタイプの製品は、便器水洗水の通路に配置された容器内に便器のリムから懸吊された洗浄物質の固体ブロック又は固体粒子を含む。特許文献１は、この種類の便器洗浄システムの例を示す。一般には、固体ブロックの一部が便器に水を流すたびに便器水洗水内に溶解され、この溶解した製品を含む便器水洗水（トイレを流す水）が、便器内に分配され、便器を洗浄する。これらの固体ブロック型便器洗浄システムは、製品寿命が短いこと、及び固体ブロックが減ると、便器に放出される洗浄及び脱臭剤の量も減少することなどの欠点がある。
【０００４】
他の自動連続洗浄型の便器洗浄システムは、便器内に分配される液体洗浄剤を使用する。例えば、特許文献１、２、３、４、５、６及び７は全て、トイレの水を流す毎に液体活性物質を瓶から便器水洗水ヘ送るために便器のリムから吊せるようになっている洗浄装置を開示している。一般に、液体活性物質は、界面活性剤（アニオン界面活性剤、非イオン界面活性剤等）、溶剤、金属封鎖剤、ｐＨ調節器、増粘剤、防腐剤、芳香剤、及び染料の一つ以上を含む。これらの便器のリムの下に設置される装置において、液体活性物質は、容器（タンク）から、便器のリムから懸吊された基部に支持されるウィッキング装置（例、分配板又は多孔物質）へ分配される。この装置は、便器水洗中に便器洗浄水流がウィッキング装置と接触するように、便器のリムから懸吊される。便器水洗水は、ウィッキング装置上の液体活性物質を便器の中へ運搬し、便器を洗浄する。
【０００５】
公知の便器リム下の液体洗浄装置に関する問題は、これらの装置が汎用の多種多様の便器の型や大きさに合わされる為に必要な設計上の柔軟性がないことである。特に、これらの装置は、便器水洗中に便器水洗水がウィッキング装置と接触可能に構成されていない。例えば、便器リム下の洗浄装置は、幅の広いリムを有する便器から吊り下げられた時、ウィッキング装置は一般的に便器の内壁に隣接する便器水洗水の通路の下方に配置されない。これによって、便器水洗水はウィッキング装置に接触できないため、便器を洗浄するためのウィッキング装置上の液体活性物質を便器に運搬できない。
【０００６】
この問題には二つの解決法が提案されている。特許文献７においては、便器リム下の洗浄装置は、ウィッキング装置は、当該装置が幅広いリムを有する便器に取付けられた時、便器水洗水の通路内に当該ウィッキング装置を位置決め可能に摺動する、可動ウィッキング装置を含む。幅の狭いリムを有する便器内に使用された時、ウィッキング装置は後方に摺動されて戻る。この装置は非常に効果的であるが、取付け基部とウィッキング装置との間に専用の接続手段を必要とする。この専用の接続手段をつけると、製造コストが高くなる。特許文献５は、便器リム下液体洗浄装置の取付け構造が取付け構造から外方へ延びる折り曲げ可能な板状要素を含むという他の解決法を提案する。この装置は幅の広いリムを有する便器で使用された時には利点を提供するが、延出要素を必要としない幅の狭い便器リム上で使用される時には、他の折り曲げ可能な板状要素を取り除けない上、また、これが障害とならない位置へも移動できない。結果的に、この装置は、幅の狭い便器リムに使用される時には便器水洗水をウィッキング装置（及びこのウィッキング装置の上に含有された液体活性物質）とは異なる方向へ導いていまう。また、便器リム下洗浄装置の性能は、ウィッキング装置を便器に向かって下方に傾斜させると、向上することがわかった。特許文献５に開示されている装置の取付け構造から外へ延びる折り曲げ可能な板状要素によって、装置が便器リムに取付けられた時、ウィッキング装置に有効な傾斜をもたらすようになった。
【特許文献１】米国特許第４７７７６７０号
【特許文献２】欧州特許第０５３８９５７号
【特許文献３】欧州特許第０７８５３１５号
【特許文献４】米国特許第６１７８５６４Ｂ１号
【特許文献５】米国特許第６２３０３３４Ｂ１号
【特許文献６】ＷＯ９９／６６１３９
【特許文献７】ＷＯ９９／６６１４０
【特許文献８】欧州特許第７７５７４１号
【発明の開示】
【発明が解決しようとする課題】
【０００７】
このように、便器水洗中に大量の洗浄液を便器のリムの下から分配できる改良された装置が必要とされている。特に、便器水洗水をウィッキング装置に向けて集めて流すように当該装置に追加される延出板を有し、これによって、便器の構造とは無関係に、ウィッキング装置の洗浄液を効果的に便器内に流し入れられる、便器リム下の液体洗浄装置の提供が必要とされる。更に、便器のリムにウィッキング装置を取付けた時に便器の内壁に向かってウィッキング装置が下方に傾斜するように当該装置に追加され得る延出板を有し、これによって、装置の性能が最適化される、便器リム下の液体洗浄装置の提供が必要とされる。
【課題を解決するための手段】
【０００８】
上記の要求は、便器処理液を便器に分配するために便器水洗中の水流が利用される、本発明による分配装置によって満たされる。この分配装置は、瓶、基部、便器のリムから当該基部を懸吊する手段と、ウィッキング装置と、延出板とを有する。瓶は、液体を収容すると共に口蓋とこの口蓋を閉じるための栓とを有する。基部は、瓶を保持するとともに瓶を開栓するために好適である、穴抜き支柱を有する。ウィッキング装置は、基部に支持されると共に液体を穴抜き支柱から当該ウィッキング装置の分配位置へ運搬するために好適である。延出板は、着脱可能にウィッキング装置に固着されるとともに、当該延出板が便器洗浄水内に位置決めされるように、そして、便器洗浄中に水流の少なくとも一部がウィッキング装置の分配位置へ方向付けされるように、大きさが決定される。
【０００９】
本発明の他の実施の形態において、延出板は、基部に着脱可能に固着されると共に、当該延出板が便器洗浄水内に位置決めされ且つ便器洗浄中に水流の少なくとも一部がウィッキング装置の分配位置へ流れるように、大きさが決定される。
【００１０】
本発明による分配装置のウィッキング装置は、基部の穴抜き支柱と流体連通する少なくとも一つの送り水路を含む上面を有する分配板、穴が形成された板、又は多孔パッドを有する、任意数の異なるウィッキング構造を備えてもよい。
【００１１】
着脱可能な延出板は、スナップフィット（嵌着）係合によってウィッキング装置または基部に固着されてもよい。着脱可能な延出板は、延出板の内壁の溝に、ウィッキング装置の端部又は基部の端部を嵌入することによって、ウィッキング装置又は基部に固着されてもよい。一つの形態において、着脱可能な延出板は、便器のリムに分配装置を取付けた時にウィッキング装置が便器の内壁に対して下方へ傾斜するように当該ウィッキング装置又は当該基部に対して大きさが決定されると共に固着されてもよい。着脱可能な延出板は、その周辺に上方に延出するリムを含み、便器水洗水の貯水及び分配を促進可能である。好ましくは、延出板は、ウィッキング装置又は基部に取付けられた時に当該ウィッキング装置又は当該基部に対する回転動作によって固定される。より好ましくは、延出板は、ウィッキング装置と同一平面上に固定的に位置決めされる。
【００１２】
着脱可能な延出板は、世界中の市場で入手可能な多種多様の種類や大きさの便器に応じて既存の便器リム下の液体洗浄装置が変更できる設計上のフレキシビリティを提供する。これにより、各便器に対する数え切れないほどの便器リム下の液体洗浄装置の専用構成を必要とせずに、様々な種類及び大きさの便器のリム下洗浄が可能となる。着脱可能な延出板は、グローバルマーケットにおける多種多様の便器に既存の装置を適合範囲を広げるべく、既存の便器リム下の液体洗浄装置に取付けられる。これまでウィッキング装置が便器洗浄水内に配置されなかった（従って、便器リム下の液体洗浄装置が無駄になる）便器も適用できる。
【００１３】
着脱可能な延出板も便器リム下の液体洗浄装置全体に対して更なる構造を提供し、これによって便器に取付けられた時にウィッキング装置に傾斜（又は下方傾斜）が生じる。この傾斜によって便器に取付けられた時の装置の流体分配性能が向上する。
【発明の効果】
【００１４】
従って、本発明の利点は、便器水洗中に便器のリム下からの大量の便器洗浄処理液を分配可能な改良された装置を提供することである。
【００１５】
従って、本発明の他の利点は、便器の構成とは無関係に、便器水洗水が貯水されウィッキング装置に対して方向付けされるように当該装置に追加され得る延出板を有する便器リム下の液体洗浄装置を提供し、これによって、ウィッキング装置の洗浄液を効果的に便器に流入可能である。
【００１６】
本発明のさらに他の利点は、便器のリムに分配装置を取付けた時の便器の内壁に向かってウィッキング装置が下方に傾斜するように当該装置に追加され得る延出板を有し、これによって、装置の流体分配性能が最適化される、便器リム下の液体洗浄装置を提供することである。
【００１７】
本発明のさらに他の利点は、世界中で販売されている大部分の便器に効果的に作用するように当該装置に追加される、延出板を有する、便器リム下の液体洗浄装置を提供することである。
【００１８】
本発明の種々の特徴、態様、及び利点は、以下の詳細な記述、添付クレーム、及び添付図面を参照することによって、より明確に理解されよう。
【発明を実施するための最良の形態】
【００１９】
本発明の以下の記述において、図面を通して、同様の又は類似した部分を称するために同様の参照番号が使用されている。
【００２０】
図１乃至図８、図１２、図１４、及び図１５を参照すると、第１の実施の形態による、便器のリム（縁端）から液状便器処理剤を分配するための液体分配装置１０が示されている。液体分配装置１０は、基部２０と、（図１４及び図１５に示されるように）便器のリムから基部２０を吊下げるためのばね式懸吊フック４０と、液体５８を収容する貯蔵瓶５０と、基部２０によって支持されるウィッキング（吸上げ）装置６０と、当該ウィッキング装置６０に固定される着脱可能な延出板８０と、を有する。瓶５０の中で使用される液体５８は、便器洗浄という特定用途に必要とされる洗浄、泡立て、殺菌、及び芳香の特性を有する任意の液体を調合したものであってもよい。一例としては、アニオン界面活性剤、非イオン界面活性剤、溶剤、金属封鎖剤、ｐＨ調節用塩基、増粘剤、防腐剤、芳香剤、及び染料を含む、液体５８が挙げられる。他の例としては、１乃至２５重量％の香水、１０乃至５０重量％のアニオン又は非イオン系界面活性剤、１乃至２０重量％の気化調整剤、及びバランス溶剤を含む、特許文献８に記載の液体が挙げられる。図１４及び図１５に示されるような便器などの便器から、液体分配装置１０が懸吊されると、ユーザは、液体を入れた貯蔵瓶５０を倒立させて基部２０の中へ挿入する。この挿入動作によって、下記に示すように、貯蔵瓶（ボトル）５０の上のシールが破られる。分配板又は多孔パッドの形態を取ってもよいウイッキング装置６０は、基部２０内に配置される。当該ウィッキング装置６０は、毛管作用を介して、液体５８を、貯蔵瓶５０から便器洗浄水内の位置まで運搬する。
【００２１】
基部２０、懸吊フック４０、瓶５０、及び延出板８０を形成するためには種々の材料が使用され得るが、これら構成部品をポリエチレンやポリプロピレンなどの熱可塑性材料で製造するのが好ましい。一般に、基部２０、懸吊フック４０、及び延出板８０は、着色されたポリエチレンやポリプロピレンなどの不透明な熱可塑性材料を含み、瓶５０は、透明なポリエチレンやポリプロピレンなどの透明な熱可塑性材料を含む。製造を容易にするため、懸吊フック４０は、基部２０とは別体の構成部品として形成され、当該基部２０は、組み立て中に懸吊フック４０の下端を挿入するための矩形断面形状の案内溝２１（図２）と一体成形される。懸吊フック４０の下端には隆起した面取り部４２が設けられ、これにより、挿入時に、スナップフィット（嵌着）構成によって、フック４０は溝２１に係止されたままの状態になる。
【００２２】
基部２０は、上縁２５で成端する側壁２４を有する。側壁２４と上縁２５は、瓶５０が基部２０上に取付けられた時に瓶５０を保持する取付け構造を形成する。側壁２４の内面は、基部２０内の瓶５０を保持するリブを含んでいてもよい。図２に明確に示されているように、液体分配装置１０が便器のリムに取付けられる時、流体を瓶５０から運搬するために使用される穴抜き支柱３０に隣接して形成される環状溝２７が基部２０の内側中心部に設けられている。基部２０は、ウィッキング装置６０の上から便器水洗水を排水させる手前側の下部に形成された一連の排水スロット２８（図５参照）を有する。
【００２３】
瓶５０の基部２０上への取付けについては図２及び図３に明確に示されている。基部２０の穴抜き支柱３０は送り導管３４を画定する円筒形の管状部分３２を有する。管状部分３２の上端３３は斜めに成端して楕円形の開口を形成する。瓶５０は、出荷と保管目的のため、瓶５０に液体５８を密封する栓５４によって覆われた円形の瓶口５２を有する。図３に示された瓶の型において、栓５４は、瓶５０の瓶口５２において円形のフランジを係合する溝を有する熱可塑性の蓋である。箔（フォイル）やプラスチック製フィルムなどの他の栓も瓶５０の瓶口５２を密閉するのに好適である。図３に示された栓５４の中心部分は、主意より薄肉の円形領域のある取り外し可能な密封部を有する。
【００２４】
取付けの際、倒立した瓶５０は、基部２０の穴抜き支柱３０に対して、栓５４の円形内壁が穴抜き支柱３０の円形外面と略面一になるように配向され、当該瓶５０は、穴抜き支柱３０の上端３３が取り外し可能な密封部の円形領域を破断させるまで、下方移動する。次に、基部２０の送り導管３４は、瓶５０の瓶口５２と流体連通するように配置され、液体５８は、瓶５０から、送り導管３４を通って、流れ、穴抜き支柱３０の底の分配穴３６から、重力によって、流れ出る。穴抜き支柱３０と栓５４と瓶５０の瓶口５２を正確に寸法合わせすることによって、瓶が基部２０に取り付けられるときに、流体の気密シールが形成される。基部２０は、ウィッキング装置６０を支承するシリンダ形状の出口部分３８を更に有する。
【００２５】
基部内にウィッキング装置６０が取付けられる方法と、延出板８０がウィッキング装置６０内に固着される方法が図８及び図１２に示されている。ウィッキング装置６０は、基部２０内の二つの対応するばねフィンガー２２によって係合される、二つの長形の案内スロット６１を有する。ウィッキング装置６０は、案内スロット６１がばねフィンガー２２によって係合されるまで、図１２の矢印I方向へ移動する。案内スロット６１は、基部２０にあるときのウィッキング装置６０の可能性のある位置範囲の二つの最大位置を画定するように作用する。延出板８０は、当該延出板８０の内壁８２に、溝８１を有する。延出板８０は、ウィッキング装置６０の縁６５が延出板８０の内壁８２の溝８１に嵌入されるまで、図１２の矢印Ｅ方向へ移動する。ウィッキング装置６０の縁６５と延出板８０の内壁８２の溝８１との締り嵌め（図８参照）は、ウィッキング装置６０に延出板８０を固着させたままにするように作用する。しかしながら、延出板８０を図１２の矢印Ｏ方向に引き出すことによって、当該延出板８０をウィッキング装置６０から取り外してもよい。任意であるが、延出板８０の内壁８２は、ウィッキング装置６０と延出板８０の間にスナップフィット係合を提供する、突起物８６（図８参照）を有する。あるいは、ウィッキング装置６０と延出板８０の間にスナップフィット係合が生じるように、更なる突起物８６を延出板８０に設けてもよい。また、延出板８０は上方に延出するリム８４をその周囲に備えるようにしてもよい。
【００２６】
図６及び図１２を参照すると、ウィッキング装置６０は、無孔板６４の上面に放射状に配列された毛管送り水路６２ａを含む分配板であってもよい。図１８を参照すると、ウィッキング装置６０は、無孔板６４の上面に並列に配列された毛管送り水路６２ｂを含む分配板であってもよい。凹部６３は、ウィッキング装置６０内に形成され、倒立された貯蔵瓶５０から送られる流体を収容する。ウィッキング装置６０は、当該ウィッキング装置６０の凹部６３が基部２０の送り導管３４と流体連通して配置されるように、基部２０に取付けられる。図２に示される型のウィッキング装置６０において、穴抜き支柱３０の下部の出口部分３８は、送り導管３４とウィッキング装置６０の凹部６３との間に流路を設けるために使用される。この構成によると、液体は、瓶５８から、基部２０の送り導管３４へ流れ、次に、出口部分３８を通って、ウィッキング装置６０の凹部６３へ流れる。次に、液体５８は、ウィッキング装置６０の凹部６３から上部表面内の毛管送り水路６２ａ又は６２ｂへ流れる。次に、液体５８は、当該液体が便器水洗水と混合される、毛管送り水路６２ａ又は６２ｂの外端へ向かって移動し続ける。ウィッキング装置６０の凹部６３から毛管送り水路６２ａ又は６２ｂまで、液体を移動するために、種々の手段を応用可能である。例えば、毛管送り水路６２ａ又は６２ｂの側面に流体を当接することによって提供される毛管作用は、液体、毛管送り水路６２ａ又は６２ｂの外端へ向かって移動させるように作用する。便器水洗水がウィッキング装置６０から流れる液体５８を洗って便器の水の中へ流した後、上記のように、新たに供給される液体５８は、瓶５８からウィッキング装置６０へ分配される。
【００２７】
図１４は、オープン型のリムを有する便器１４０と共に用いられる分配装置１０の構成を示す。このような便器１４０のリム１６０から懸吊された分配装置１０の場合、矢印Ｗによって示される便器洗浄水流が、延出板８０と接触するのがわかる。図１５に示されるように、ボックス型のリムの構成の便器１４ｂと共に用いられる場合、矢印Ｗによって示される、便器洗浄水流も延出板８０と接触する。延出板８０は、当該延出板８０が便器洗浄水内に位置決めされるように大きさが決定される。
【００２８】
分配装置１０の構造について説明したが、以下に、分配装置１０の作用について説明する。上記されたように、瓶５０は、分配装置１０の基部２０上に取付けられ、図１４及び図１５に関して上記されたように便器のリムに分配装置１０を取付けた後、分配装置１０を作動する準備が整う。液体５８は、瓶５０から基部２０の送り導管３４へ流れ、出口部分３８を通って、ウィッキング装置６０へ流れる。次に、液体５８は、毛管送り水路６２ａ又は６２ｂの毛管作用を介してウィッキング装置６０の外端へ向かって流れる。トイレの水を流すと、便器洗浄水流が延出板８０と接触し、便器水洗水がウィッキング装置６０の外端へ向かって流れる。ウィッキング装置６０の液体５８が便器水洗水と混ざり、次に、当該液体５８と便器水洗水との混合液が便器へ分配される。便器水洗水がウィッキング装置６０から流れる液体５８を洗って便器の水の中へ流した後、新たに供給される液体５８は、上記のように、瓶からウィッキング装置６０へ分配される。次のトイレの水を流す時に、液体５８のまた新たな供給が行われる。
【００２９】
ここで、図９乃至図１１、図１３、図１６、及び図１７を参照すると、第２の実施の形態による、便器のリム（縁端）から液状便器処理剤を分配するための液体分配装置１０ａが示されている。液体分配装置１０ａは、基部２０（上記記載）と、（図１６及び図１７に示されるように）便器のリムから基部２０を吊下げるためのばね式懸吊フック４０（上記記載）と、液体５８（上記記載）を収容する貯蔵瓶５０（上記記載）と、基部２０によって支持されるウィッキング（吸上げ）装置６０（上記記載）と、基部２０と一体成形される支持構造３９に固着された着脱可能な延出板８０ａと、を有する。第１の実施の形態の分配装置１０に関して上記されたように、瓶５０は、分配装置１０ａの基部２０上に取付けられる。
【００３０】
延出板８０ａが基部２０の支持構造３９に固着される方法が図１３に示されている。延出板８０ａは延出板８０ａの内壁８２ａ内に溝８１ａを有する。延出板８０ａは、基部２０の支持構造３９の端部３９ａが延出板８０ａの内壁８２ａ内の溝８１ａに嵌入されるまで、図１３の矢印Ｘ方向へ移動する。基部２０の支持構造３９の端部３９ａと延出板８０ａの内壁８２ａ内の溝８１ａとの締り嵌め（図１１参照）は、延出板８０ａを基部２０の支持構造３９の端部３９ａに固着させたままにするように作用する。しかしながら、延出板８０ａを図１３の矢印Ｙ方向に引き出すことによって、基部２０の支持構造３９の端部３９ａから延出板８０ａを取り外せる。任意であるが、延出板８０ａの内壁８２ａは、基部２０の支持構造３９の端部３９ａと延出板８０ａとの間にスナップフィット係合を提供する突起物を有する。延出板８０ａは上方に延出するリム８４ａをその周囲に有していてもよい。
【００３１】
図１６は、オープン型リムを有する便器１４０と共に使用するときの分配装置１０ａの構成を示す。このような便器１４０のリム１６０から懸吊された分配装置１０の場合、矢印Ｗによって示される、便器洗浄水流が、延出板８０ａと接触するのがわかる。図１７に示されるように、ボックス型のリムの構成の便器１４ｂと共に用いられる場合、矢印Ｗによって示される、便器洗浄水流も延出板８０ａと接触する。延出板８０ａは、当該延出板８０ａが便器洗浄水内に位置決めされるように大きさが決定される。
【００３２】
分配装置１０ａの構造について説明したが、以下に、分配装置１０ａの作用について更に説明する。既に述べたように、瓶５０は、分配装置１０ａの基部２０上に取付けられ、図１６及び図１７に関して上記されたように便器のリムに分配装置１０ａを取付けた後、分配装置１０ａを作動する準備が整う。液体５８は、瓶５０から基部２０の送り導管３４へ流れ、出口部分３８を通って、ウィッキング装置６０へ流れる。次に、液体５８は、毛管送り水路６２ａ又は６２ｂの毛管作用を介してウィッキング装置６０の外端へ向かって流れる。便器の水が勢いよく流されると、便器洗浄水流が延出板８０ａと接触し、便器水洗水がウィッキング装置６０の外端へ向かって流れる。ウィッキング装置６０の液体５８が便器水洗水と混合し、次に、当該液体５８と便器水洗水との混合液が便器へ分配される。便器水洗水がウィッキング装置６０から流れる液体５８を洗って便器の水の中へ流した後、新たに供給される液体５８は、上記のように、瓶からウィッキング装置６０へ分配される。次のトイレの水を流す時に、液体５８のまた新たな供給が行われる。
【００３３】
ここで、図１９を参照すると、他の構造のウィッキング装置が斜視図で示されている。このウィッキング装置は、図１乃至図１８で示されたウィッキング装置６０と同様の全体的形状を有する分配板７０の形態をとり、この分配板７０の位置の調整を可能にする長形の案内スロット７２を有する。本実施の形態のウィッキング装置において、板７０は、当該板に形成された多数の隆起した貫通孔７３以外は中実である。板７０を有する分配装置の作用において、液体５８は、瓶５８から基部２０の送り導管３４へ流れ、出口部分３８を通って、多孔パッドへ送られる。上記のように、液体５８は、便器水洗水と混合される。便器水洗水と液体との混合液は、板７０内の貫通孔７３を通って便器へ分配される。貫通孔７３は、希釈されない液体５８が通過するのを避けるように充分に小さくされている。便器水洗水が、板７０内の貫通孔７３を通って流れる液体５８を液体５８を洗って便器の水の中へ流した後、新たに供給される液体５８は、上記のように、瓶５０から板７０へ分配される。
【００３４】
２番目の他の構造のウィッキング装置は、瓶５０と便器洗浄水内の分配位置との間に流路を設けるように使用される多孔パッドである。多孔パッドは、図１乃至図１８で示されたウィッキング装置６０と同様の全体的形状を有し、パッドの位置の調整を可能にする長形の案内スロットを有する。この構成において、液体５８は、瓶５８から基部２０の送り導管３４へ流れ、出口部分３８を通って、多孔パッドへ送られる。次に、液体は、上記のように、当該液体が便器水洗水と混合される毛管作用を介して多孔パッドの外端に向かって移動し続ける。
【００３５】
分配装置１０と分配装置１０ａは多くの利点を有する。一つの利点は、便器のリム１６ｂに取付けられた分配装置１０を示す図１５を参照することによって理解されよう。延出板８０は、当該延出板８０が便器洗浄水内に位置決めされ、この例では、便器１４ｂの内壁１７と接触するように位置決めされるように大きさが決定されるので、矢印Ｗによって示される便器洗浄水流が、便器水洗中の分配装置１０の延出板８０と接触することがわかる。次に、延出板８０は便器水洗水をウィッキング装置６０の外端へ方向付けする。ウィッキング装置６０の液体５８は便器水洗水と混合され、次に、便器水洗水と液体５８の混合液が、便器へ分配される。分配装置１０内に延出板８０が設けられてない場合、便器水洗水はウィッキング装置６０をバイパス（回避）し、液体５８は殆どあるいは全く便器に分配されなくなる。同様に、分配装置１０ａ内に延出板８０ａが設けられてない場合、便器水洗水はウィッキング装置６０をバイパス（回避）し、液体５８は殆どあるいは全く便器に分配されなくなる（図１７参照）。任意であるが、延出板８０と延出板８０ａの便器水洗水の貯蔵及び分配機能を更に最適化するために当該延出板８０と当該延出板８０ａの各々は上方に延出するリムをそれぞれその周囲に有してもよい。
【００３６】
分配装置１０と分配装置１０ａの他の利点は、便器のリム１６０に取付けられた分配装置１０を示す図１４を参照することによって理解されよう。延出板８０は、分配装置１０が便器１４０のリム１６０に取付けられる時に、ウィッキング装置６０が便器１４０の内壁１５に対して下方へ傾斜されるように当該ウィッキング装置６０に対して大きさが決定されると共に固着されるのがわかる。ウィッキング装置６０の傾斜を達成する一つの方法としては、延出板８０がウィッキング装置６０に固着される時、当該ウィッキング装置６０に対する回転動作によって延出板８０が固定されるように、延出板８０を構成することが挙げられる。上記された延出板８０の溝８１はこのような構成の一つである。延出板８０のこの構成において、延出板８０は、ウィッキング装置６０と同一平面上に固定的に位置決めされると共に、ウィッキング装置６０と同一平面上での動作によって、ウィッキング装置６０から着脱可能となる。ウィッキング装置６０の下方傾斜によって、便器のリムに取付けられた時の分配装置１０の流体分配性能を改良可能である。同様に、図１６は、分配装置１０ａが便器１４０のリム１６０に取付けられた時に、ウィッキング装置６０が便器１４０の内壁１５に対して下方に傾斜されることを示す。ウィッキング装置６０の下方傾斜によって、便器のリムに取付けられた時の分配装置１０ａの流体分配性能が改良される。
【００３７】
延出板８０と延出板８０ａの着脱可能な態様も利点を提供する。いくつかの便器に分配装置１０を取付ける際、ウィッキング装置６０は便器洗浄水内にあり、好ましくは、便器のリムの内壁に対して下方に傾斜されてもよい。この場合、延出板８０を分配装置１０から取り外せて、従来の着脱不可能な水流変位要素を有する、便器のリム下から洗浄液を分配する従来型の装置の場合に起こしたであろう水流変化なしに、当該分配装置１０は、使用可能である。分配装置１０が便器に取付けられると共にウィッキング装置６０が便器水洗中の便器洗浄水内に配置されない時、上記のように、延出板８０は、便器洗浄水流をウィッキング装置６０へ方向付けするように分配装置１０に取付けられる。さらに、分配装置１０が便器に取付けらるとともにウィッキング装置６０が便器の内壁に対して傾斜されてない時、延出板８０は、所望されれば、ウィッキング装置６０に対して下方に傾斜するように、分配装置１０に取付けられてもよい。分配装置１０ａへの延出板８０の設置によって同一の結果が得られる。
【００３８】
このように、便器水洗中に水流を介して便器のリム下から洗浄液等の液状便器処理剤を分配するための装置が提供されている。分配装置は、便器の構造とは無関係に便器水洗水を集め分配板全体に方向付けされるように当該装置に追加され得る、延出板を有し、これによって、分配板の洗浄液を効果的に便器に流入可能である。延出板は、便器のリムに分配装置を取付けた時の便器の内壁に向かって分配板が下方に傾斜するように装置に追加され、これによって、装置の流体分配性能が最適化される。本発明の便器リム下からの液体洗浄装置は、世界中で販売されている大部分の便器に効果的に作動するように当該装置に追加される、延出板を有する。
【００３９】
本発明はいくつかの実施の形態に関してかなり詳細に記述されているが、当業者は、本発明は、図解を目的とし、本発明を限定することを意図するものではない、上記された実施の形態以外の方法でも、本発明を実施可能なことを理解するであろう。したがって、添付クレームの範囲は本明細書中に含まれている実施の形態の記述に限定されるものではない。
【産業上の利用可能性】
【００４０】
本発明は、例えば、便器洗浄水流を介して便器のリム下から洗浄液などの液体を分配するために使用される。
【図面の簡単な説明】
【００４１】
【図１】本発明の第１の実施の形態による分配装置を示す斜視図である。
【図２】図１に示された分配装置を示す縦断面図である。
【図３】図１に示された分配装置を示す分解斜視図である。
【図４】図１に示された分配装置を示す背面図である。
【図５】図１に示された分配装置を示す正面図である。
【図６】図１に示された分配装置を示す平面図である。
【図７】反対の側面図が鏡像である、図１に示された分配装置を示す側面図である。
【図８】図１に示された分配装置のウィッキング装置に延出板を取り付けるための手段を示す、図７の線８−８に沿って切断された部分断面図である。
【図９】他の延出板を有する、本発明の第２の実施の形態による分配装置を示す平面図である。
【図１０】反対の側面図が鏡像である、図９に示された分配装置を示す側面図である。
【図１１】図１０に示された分配装置のウィッキング装置に他の延出板を取り付けるための手段を示す、図１０の線１１−１１に沿って切断された部分断面図である。
【図１２】図１に示された第１の実施の形態の分配装置の基部にウィッキング装置を嵌入し、当該ウィッキング装置に延出板を取付ける方法を概略的に示す図である。
【図１３】図９に示された第２の実施の形態の分配装置の基部に他の延出板を取付ける方法を概略的に示す図である。
【図１４】図１に示された第１の実施の形態の分配装置をオープン型リムの便器に取付けた側面図である。
【図１５】図１に示された第１の実施の形態の分配装置をボックス型リムの便器に取付けた図１４と同様の側面図である。
【図１６】図９に示された第２の実施の形態の分配装置をオープン型リムの便器に取付けた側面図である。
【図１７】第２の実施の形態の分配装置をボックス型リムの便器に取付けた図１６と同様の側面図である。
【図１８】図１又は図９に示された分配装置の基部に嵌入されてもよいウィッキング装置を示す斜視図である。
【図１９】図１又は図９に示された分配装置の基部に嵌入されてもよい別の型のウィッキング装置を示す斜視図である。
【図１】
2005533947.tif 000003
【図２】
2005533947.tif 000004
【図３】
2005533947.tif 000005
【図４】
2005533947.tif 000006
【図５】
2005533947.tif 000007
【図６】
2005533947.tif 000008
【図７】
2005533947.tif 000009
【図８】
2005533947.tif 000010
【図９】
2005533947.tif 000011
【図１０】
2005533947.tif 000012
【図１１】
2005533947.tif 000013
【図１２】
2005533947.tif 000014
【図１３】
2005533947.tif 000015
【図１４】
2005533947.tif 000016
【図１５】
2005533947.tif 000017
【図１６】
2005533947.tif 000018
【図１７】
2005533947.tif 000019
【図１８】
2005533947.tif 000020
【図１９】
2005533947.tif 000021
【手続補正書】
【提出日】平成17年5月24日(2005.5.24)
【手続補正１】
【補正対象書類名】特許請求の範囲
【補正対象項目名】全文
【補正方法】変更
【補正の内容】
【特許請求の範囲】
【請求項１】
便器水洗中の水流を利用して便器の中へ液状便器処理剤を分配する分配装置であって、
液体を収容すると共に、口と該口を閉じるための栓とを有する瓶と、
前記瓶を保持するとともに、前記瓶を開栓するのに適する、穴抜き支柱を有する基部と、
前記便器のリムから前記基部を吊り下げるための懸吊手段と、
前記基部に支持されると共に、液体を前記穴抜き支柱から該ウィッキング装置の分配位置へ運搬するのに適する、ウィッキング装置と、
前記ウィッキング装置に着脱可能に取付けられると共に、該延出板が便器水洗中の水流の途中に位置決めされるように、そして、便器水洗中に水流の少なくとも一部が該ウィッキング装置の分配位置へ流れるように大きさが決定される、延出板と、
を備える、分配装置。
【請求項２】
便器水洗中の水流を利用して便器の中へ液状便器処理剤を分配する分配装置であって、
液体を収容すると共に、口と該口を閉じるための栓とを有する瓶と、
前記瓶を保持するとともに、前記瓶を開栓するのに適する、穴抜き支柱を有する基部と、
前記便器のリムから前記基部を吊り下げるための懸吊手段と、
前記基部に支持されると共に、液体を前記穴抜き支柱から該ウィッキング装置の分配位置へ運搬するのに適する、ウィッキング装置と、
前記基部に着脱可能に取付けられると共に、該延出板が便器水洗中の水流の途中に位置決めされるように、そして、便器水洗中に水流の少なくとも一部が該ウィッキング装置の分配位置へ流れるように大きさが決定される、延出板と、
を備える、分配装置。
【国際調査報告】
2005533947.tif 000022
2005533947.tif 000023